【手続補正書】
【提出日】平成20年4月22日(2008.4.22)
【手続補正１】
【補正対象書類名】明細書
【補正対象項目名】０００４
【補正方法】変更
【補正の内容】
【０００４】
磁気痙攣療法（「Ｍａｇｎｅｔｉｃ  ｓｅｉｚｕｒｅ  ｔｈｅｒａｐｙ：ＭＳＴ」）は重度の精神病のためのより最近の治療法であるが、理論上はＥＣＴと同様の成果がある。ＥＣＴと同様に、ＭＳＴによって全身性痙攣が起り、続いて、恐らく同一の生物医学的経路付近で弛緩が起こる。但し、ＥＣＴとの決定的な違いとして、ＭＳＴでは、交換磁場が短時間印加され、電磁誘導によって前記全身性痙攣を起させる刺激が提供される。これには、以下を含む様々な利点がある：１）伝導力によってエネルギーが散逸することなく磁場が組織を透過する、２）脳刺激をより正確および確実に与えることが可能である、３）刺激を治療反応に不可欠な脳構造に制限することが可能なため、記憶障害などのＥＣＴに関連した副作用を低減する（Ｌｉｓａｎｂｙ  ＳＨ，Ｌｕｂｅｒ  Ｂ，Ｓｃｈｌａｅｐｈｅｒ  ＴＥ，Ｓａｃｋｅｉｍ  ＨＡ，Ｓａｆｅｔｙ  ａｎｄ  ｆｅａｓｉｂｉｌｉｔｙ  ｏｆ  ｍａｇｎｅｔｉｃ  ｓｅｉｚｕｒｅ  ｔｈｅｒａｐｙ（ＭＳＴ）ｉｎ  ｍａｊｏｒ  ｄｅｐｒｅｓｓｉｏｎ：ｒａｎｄｏｍｉｚｅｄ  ｗｉｔｈｉｎ−ｓｕｂｊｅｃｔ  ｃｏｍｐａｒｉｓｏｎ  ｗｉｔｈ  ｅｌｅｃｔｒｏｃｏｎｖｕｌｓｉｖｅ  ｔｈｅｒａｐｙ．  Ｎｅｕｒｏｐｓｙｃｈｏｐｈａｒｍａｃｏｌｏｇｙ．２００３  Ｏｃｔ，２８（１０）：１８５２−６５を参照。抄録には、「ＥＣＴと比較すると、ＭＳＴによる痙攣はより短時間であり、痙攣性ＥＥＧ（脳波）振幅がより小さく、痙攣後の抑圧がより少ない。患者が自覚する副作用はより少なく、且つＥＣＴと比べて、患者はＭＳＴにおいて位置感覚をより早く回復した。また、ＭＳＴは、注意力、逆向性健忘、および分類の認識度（ｃａｔｅｇｏｒｙ  ｆｌｕｅｎｃｙ）の測定値においても優位であった」と記載されている。）
この出願の発明に関連する先行技術文献情報としては、以下のものがある（国際出願日以降国際段階で引用された文献及び他国に国内移行した際に引用された文献を含む）。
【特許文献１】米国特許第６，２６６，５５６号明細書
【特許文献２】米国特許第５，８１３，９７０号明細書
【特許文献３】米国特許第６，１１７，０６６号明細書
【特許文献４】米国特許第４，７１２，５５８号明細書
【特許文献５】米国特許第５，１１６，３０４号明細書
【特許文献６】米国特許第５，７０７，３３４号明細書
【特許文献７】米国特許第６，０６６，０８４号明細書
【特許文献８】米国特許第６，１１７，０６６号明細書
【特許文献９】米国特許第６，２５３，１０９号明細書
【特許文献１０】米国特許第６，３６６，８１４号明細書
【特許文献１１】米国特許第６，４０２，６７８号明細書
【特許文献１２】米国特許第６，４６３，３２８号明細書
【特許文献１３】米国特許第６，４８８，６１７号明細書
【特許文献１４】米国特許出願公開第２００２／００１３６１２号明細書
【特許文献１５】米国特許出願公開第２００２／００８７２０１号明細書
【特許文献１６】米国特許出願公開第２００２／００９１４１９号明細書
【特許文献１７】米国特許出願公開第２００２／０１０３５１５号明細書
【特許文献１８】米国特許出願公開第２００３／０１６９３５５号明細書
【特許文献１９】米国特許出願公開第２００３／００２８０７２号明細書
【特許文献２０】米国特許出願公開第２００３／００５０５２７号明細書
【特許文献２１】米国特許出願公開第２００３／００８８２７４号明細書
【特許文献２２】米国特許出願公開第２００３／０１０３７０６号明細書
【特許文献２３】米国特許第６，５６７，７０２号明細書
【特許文献２４】米国特許出願公開第２００３／００７３８９９号明細書
【特許文献２５】米国特許出願公開第２００３／００９７１６１号明細書
【特許文献２６】米国特許第６，５７２，５２８号明細書
【特許文献２７】米国特許第６，１９８，９５８号明細書
【特許文献２８】米国特許出願公開第２００３／００７４０３２号明細書
【特許文献２９】米国特許出願公開第２００３／０１２５７８６号明細書
【特許文献３０】米国特許第５，８１３，９７０号明細書
【特許文献３１】米国特許第５，７６９，７７８号明細書
【特許文献３２】米国特許出願公開第２００４／００１０１７７号明細書
【特許文献３３】米国特許第６，１６９，９６３号明細書
【特許文献３４】米国特許出願公開第２００２／０１２３７８０号明細書
【特許文献３５】米国特許出願公開第２００２／０１６０４３６号明細書
【特許文献３６】米国特許第４，９９５，３９５号明細書
【特許文献３７】米国特許第６，０５７，３７３号明細書
【特許文献３８】米国特許第６，１５５，９６６号明細書
【特許文献３９】米国特許第６，２５６，５３１号明細書
【特許文献４０】米国特許第６，４８４，０５９号明細書
【特許文献４１】米国特許第６，５０３，１８７号明細書
【特許文献４２】米国特許第６，５３７，１９７号明細書
【特許文献４３】米国特許第６，５６０，４９０号明細書
【特許文献４４】米国特許出願公開第２００１／００３１９０６号明細書
【特許文献４５】米国特許出願公開第２００３／００８２５０７号明細書
【特許文献４６】米国特許出願公開第２００３／００８７２６４号明細書
【特許文献４７】米国特許出願公開第２００３／０１９５５８８号明細書
【特許文献４８】米国特許出願公開第２００４／０１３８５５０号明細書
【特許文献４９】米国特許出願公開第２００４／０１４３３００号明細書
【特許文献５０】米国特許第６，１７９，７６９号明細書
【特許文献５１】米国特許第６，６２９，９３５号明細書
【特許文献５２】国際公開第０２／０３２５０４号パンフレット
【特許文献５３】国際公開第０２／０９４９９７号パンフレット
【特許文献５４】国際公開第０２／８５４４４９号パンフレット
【特許文献５５】国際公開第０２／０７２１９４号パンフレット
【特許文献５６】国際公開第０１／１１２２３６号パンフレット
【特許文献５７】国際公開第０２／３１６０４号パンフレット
【特許文献５８】国際公開第０２／０９８１１号パンフレット
【特許文献５９】国際公開第０１／９７９０６号パンフレット
【特許文献６０】国際公開第０１／２８６２２号パンフレット
【特許文献６１】国際公開第００／７４７７７号パンフレット
【特許文献６２】国際公開第０３／０３５１６３号パンフレット
【特許文献６３】国際公開第０２／０８９９０２号パンフレット
【特許文献６４】国際公開第０３／０９０６０４号パンフレット
【特許文献６５】国際公開第０３／０９８２６８号パンフレット
【特許文献６６】国際公開第０２／０８５４５４号パンフレット
【特許文献６７】国際公開第０３／０８４６０５号パンフレット
【特許文献６８】国際公開第０３／０８５５４６号パンフレット
【特許文献６９】国際公開第０３／０３９４６８号パンフレット
【特許文献７０】国際公開第０３／０８２４０５号パンフレット
【特許文献７１】国際公開第０４／００６７５０号パンフレット
【特許文献７２】欧州特許出願第１２７３２３０号明細書
【非特許文献１】ＧＡＲＣＩＡ−ＴＯＲＯ，Ｍ．ＥＴ  ＡＬ．，‘ＭＯＤＥＳＴ  ＡＤＪＵＮＣＴＩＶＥ  ＢＥＮＥＦＩＴ  ＷＩＴＨ  ＴＲＡＮＳＣＲＡＮＩＡＬ  ＭＡＧＮＥＴＩＣ  ＳＴＩＭＵＬＡＴＩＯＮ  ＩＮ  ＭＥＤＩＣＡＴＩＯＮ−ＲＥＳＩＳＴＡＮＴ  ＤＥＰＲＥＳＳＩＯＮ’，ＪＯＵＲＮＡＬ  ＯＦ  ＡＦＦＥＣＴＩＶＥ  ＤＩＳＯＲＤＥＲＳ，２００１，６４，２７１−２７５
【非特許文献２】ＧＥＯＲＧＥ，Ｍ．Ｓ．‘ＮＥＷ  ＭＥＴＨＯＤＳ  ＯＦ  ＭＩＮＩＭＡＬＬＹ  ＩＮＶＡＳＩＶＥ  ＢＲＡＩＮ  ＭＯＤＵＬＡＴＩＯＮ  ＡＳ  ＴＨＥＲＡＰＩＥＳ  ＩＮ  ＰＳＹＣＨＩＡＴＲＹ：ＴＭＳ，ＭＳＴ，ＶＮＳ  ＡＮＤ  ＤＢＳ’，ＣＨＩＮＥＳＥ  ＭＥＤＩＣＡＬ  ＪＯＵＲＮＡＬ（ＴＡＩＰＥＩ），２００２，６５，３４９−３６０
【非特許文献３】ＬＩＳＡＮＢＹ，Ｓ．Ｈ．ＥＬ  ＡＬ．，‘ＳＨＡＭ  ＴＭＳ：ＩＮＴＲＡＣＥＲＥＢＲＡＬ  ＭＥＡＳＵＲＥＭＥＮＴ  ＯＦ  ＴＨＥ  ＩＮＤＵＣＥＤ  ＥＬＥＣＴＲＩＣＡＬ  ＦＩＥＬＤ  ＡＮＤ  ＴＨＥ  ＩＮＤＵＣＴＩＯＮ  ＯＦ  ＭＯＴＯＲ−ＥＶＯＫＥＤ  ＰＯＴＥＮＴＩＡＬＳ’，ＳＯＣＩＥＴＹ  ＯＦ  ＢＩＯＬＯＧＩＣＡＬ  ＰＳＹＣＨＩＡＴＲＹ，２００１，５８，３０３−３０７
【非特許文献４】ＬＩＳＡＮＢＹ，Ｓ．Ｈ．ＭＤ．ＥＴ  ＡＬ．，‘ＭＡＧＮＥＴＩＣ  ＳＥＩＺＵＲＥ  ＴＨＥＲＡＰＹ  ＯＦ  ＭＡＪＯＲ  ＤＥＰＲＥＳＳＩＯＮ’，ＡＲＣＨ  ＧＥＮ  ＰＳＹＣＨＩＡＴＲＹ，２００１，５８，３０３−３０７
【非特許文献５】ＬＩＳＡＮＢＹ，Ｓ．Ｈ．，‘ＵＰＤＡＴＥ  ＯＮ  ＭＡＧＮＥＴＩＣ  ＳＥＩＺＵＲＥ  ＴＨＥＲＡＰＹ：Ａ  ＮＯＶＥＬ  ＦＯＲＭ  ＯＦ  ＣＯＮＶＵＬＳＩＶＥ  ＴＨＥＲＡＰＹ’，ＴＨＥ  ＪＯＵＲＮＡＬ  ＯＦ  ＥＣＴ，２００２，１８，１８２−１８８
【非特許文献６】ＴＥＲＲＡＣＥ，Ｈ．Ｓ．ＥＴ  ＡＬ．，‘ＴＨＥ  ＣＯＧＮＩＴＩＶＥ  ＥＦＦＥＣＴＳ  ＯＦ  ＥＬＥＣＴＲＯＣＯＮＶＵＬＳＩＶＥ  ＳＨＯＣＫ  ＡＮＤ  ＭＡＧＮＥＴＩＣ  ＳＥＩＺＵＲＥ  ＴＨＥＲＡＰＹ  ＩＮ  ＲＨＥＳＵＳ  ＭＯＮＫＥＹＳ’，ＳＯＣＩＥＴＹ  ＦＯＲ  ＮＥＵＲＯＳＣＩＥＮＣＥ  ＡＢＳＴＲＡＣＴ  ＶＩＥＷＥＲ  ＡＮＤ  ＩＴＩＮＥＲＡＲＹ  ＰＬＡＮＮＥＲ，２００２，ＡＢＳＴＲＡＣＴ  ＯＮＬＹ  ＃１８４．１４
【非特許文献７】ＴＥＲＲＡＣＥ，Ｈ．Ｓ．ＥＴ  ＡＬ．，‘ＴＨＥ  ＣＯＧＮＩＴＩＶＥ  ＥＦＦＥＣＴＳ  ＯＦ  ＥＬＥＣＴＲＯＣＯＮＶＵＬＳＩＶＥ  ＳＨＯＣＫ  ＳＴＩＭＵＬＡＴＩＯＮ  ＡＮＤ  ＭＡＧＮＥＴＩＣ  ＳＥＩＺＵＲＥ  ＴＨＥＲＡＰＹ  ＩＮ  ＲＨＥＳＵＳ  ＭＯＮＫＥＹＳ’，ＳＯＣＩＥＴＹ  ＦＯＲ  ＮＥＵＲＯＳＣＩＥＮＣＥ  ＡＢＳＴＲＡＣＴＳ，２００１，２７（１），５３６．７，ＰＧＬ４１８
【非特許文献８】ＰＲＩＤＭＯＲＥ，Ｓ．，‘ＳＵＢＳＴＩＴＵＴＩＯＮ  ＯＦ  ＲＡＰＩＤ  ＴＲＡＮＳＣＲＡＮＩＡＬ  ＭＡＧＮＥＴＩＣ  ＳＴＩＭＵＬＡＴＩＯＮ  ＴＲＥＡＴＭＥＮＴＳ  ＦＯＲ  ＥＬＥＣＴＲＯＣＯＮＶＵＬＳＩＶＥ  ＴＨＥＲＡＰＹ  ＴＲＥＡＴＭＥＮＴＳ  ＩＮ  Ａ  ＣＯＵＲＳＥ  ＯＦ  ＥＬＥＣＴＲＯＣＯＮＶＵＬＳＩＶＥ  ＴＨＥＲＡＰＹ  ’，ＤＥＰＲＥＳＳＩＯＮ  ＡＮＤ  ＡＮＸＩＥＴＹ，２０００，１２，１１８−１２３
【非特許文献９】ＲＯＴＨ，Ｙ．ＥＴ  ＡＬ．，‘Ａ  ＣＯＩＬ  ＤＥＳＩＧＮ  ＦＯＲ  ＴＲＡＮＳＣＲＡＮＩＡＬ  ＭＡＧＮＥＴＩＣ  ＳＴＩＭＵＬＡＴＩＯＮ  ＯＦ  ＤＥＥＰ  ＢＲＡＩＮ  ＲＥＧＩＯＮＳ’，ＪＯＵＲＮＡＬ  ＯＦ  ＣＬＩＮＩＣＡＬ  ＮＥＵＲＯＰＨＹＳＩＯＬＯＧＹ，２００２，１９（４），３６１−３７０
【非特許文献１０】ＴＲＩＶＥＤＩ，Ｍ．Ｈ．，ＭＤ．，‘ＴＲＥＡＴＭＥＮＴ−ＲＥＳＩＳＴＡＮＴ  ＤＥＰＲＥＳＳＩＯＮ：ＮＥＷ  ＴＨＥＲＡＰＩＥＳ  ＯＮ  ＴＨＥ  ＨＯＲＩＺＯＮ’，ＡＮＮＡＬＳ  ＯＦ  ＣＬＩＮＩＣＡＬ  ＰＳＹＣＨＩＡＴＲＹ，２００３，１５（１），５９−７０